(57)【要約】【課題】転動体と窓ガラスとの擦れに伴う異音（擦れ音）の発生を防止する。【解決手段】遮光装置１０によれば、円盤状のガイドローラ５０は、回転支持部５２によってスクリーン支持部材４０に対し回転可能に支持されており、この回転支持部５２は、揺動支持部５４によってスクリーン支持部材４０に対し揺動可能に支持されている。従って、ガイドローラ５０が転動する部位に応じてリアガラス８０の傾きが変化する場合でも、揺動支持部５４によって回転支持部５２がスクリーン支持部材４０に対して回動されることで、リアガラス８０においてガイドローラ５０が転動する部位と回転支持部５２つまりガイドローラ５０の転動軸線Ｌ１とを平行な状態に維持できる。これにより、ガイドローラ５０が窓ガラス上を円滑に転動するので、ガイドローラ５０とリアガラス８０との擦れに伴う異音（擦れ音）の発生を防止できる。【選択図】図４
2009012556.tif 000002
【特許請求の範囲】
【請求項１】
窓ガラスを覆うための展開位置と前記窓ガラスから退避されるための格納位置とに変位可能な遮光体と、
前記窓ガラスの延在方向に沿って移動することで前記遮光体を格納位置と展開位置とに変位させる可動体と、
前記可動体の移動に伴って前記窓ガラス上を転動されると共に前記窓ガラスにおける転動部位の傾きの変化に応じて転動軸線方向が変化されるように前記可動体に回転可能に支持された転動体と、
を備えたことを特徴とする遮光装置。
【請求項２】
前記転動体は、円盤状のローラにより構成され、
前記ローラを前記可動体に対し回転可能に支持する回転支持部と、
前記回転支持部を前記可動体に対し揺動可能に支持する揺動支持部と、
を備えたことを特徴とする請求項１に記載の遮光装置。
【請求項３】
窓ガラスを覆うための展開位置と前記窓ガラスから退避されるための格納位置とに変位可能な遮光体と、
前記窓ガラスの延在方向に沿って移動することで前記遮光体を格納位置と展開位置とに変位させる可動体と、
互いに転動軸線方向が異なるように回転可能な状態で前記可動体に支持されると共に、前記可動体の移動に伴う前記窓ガラスにおける転動部位の傾きの変化に応じて少なくとも一つが選択的に前記窓ガラス上を転動される複数の転動体と、
を備えたことを特徴とする遮光装置。
【請求項４】
前記転動体は、前記可動体に全方向に回転自在に支持された球体により構成されていることを特徴とする請求項１又は請求項３に記載の遮光装置。
【発明の詳細な説明】
【技術分野】
【０００１】
本発明は、遮光装置に係り、特に遮光体を格納位置と展開位置とに変位させるための可動体に転動体が設けられた遮光装置に関する。
【背景技術】
【０００２】
この種の遮光装置としては、例えば、次のものがある（例えば、特許文献１参照）。この特許文献１に記載の例では、ロールブラインドの展開側に引張棒が設けられており、この引張棒の両端側には案内部材が設けられている。案内部材には、ガイドローラが設けられており、ガイドローラは、窓ガラスと平行に配置された軸ピンによって回転可能に支持されている。そして、ロールブラインドが展開される際にガイドローラが窓ガラス上を転動することにより引張棒が窓ガラスに沿って案内される構成とされている。
【特許文献１】特開２００１−３０１４５８号公報
【特許文献２】米国特許第５７５２５６０号明細書
【発明の開示】
【発明が解決しようとする課題】
【０００３】
しかしながら、窓ガラスが例えば局部的に湾曲した形状に構成されて平面部と曲面部とを有する場合、ガイドローラが平面部上を転動する場合と曲面部上を転動する場合とで窓ガラスの傾き（曲率）が異なる。従って、ガイドローラの軸ピンを窓ガラスの平面部と平行となるように（平面部に合わせて）配置しても、ガイドローラが窓ガラスの曲面部上を転動する際には、窓ガラスの傾きとガイドローラの回転方向とが合わず、つまり、換言すれば、窓ガラスの曲面部における接線方向とガイドローラの転動軸線方向とが平行とならずに傾斜した状態となる。
【０００４】
そして、窓ガラスの曲面部における接線方向とガイドローラの転動軸線方向とが傾斜した状態となると、ガイドローラに対し窓ガラスから押し付け反力の他に横方向の力が作用して、ガイドローラと軸ピンとにこじりが生じ、ガイドローラと軸ピンとの間の抵抗力が増加する。従って、窓ガラスに対するガイドローラの転がりが鈍くなり、これにより、ガイドローラと窓ガラスとが擦れて異音（擦れ音）が発生する虞がある。
【０００５】
本発明は、上記事情に鑑みてなされたものであって、その目的は、転動体と窓ガラスとの擦れに伴う異音（擦れ音）の発生を防止できる遮光装置を提供することにある。
【課題を解決するための手段】
【０００６】
前記課題を解決するために、請求項１に記載の遮光装置は、窓ガラスを覆うための展開位置と前記窓ガラスから退避されるための格納位置とに変位可能な遮光体と、前記窓ガラスの延在方向に沿って移動することで前記遮光体を格納位置と展開位置とに変位させる可動体と、前記可動体の移動に伴って前記窓ガラス上を転動されると共に前記窓ガラスにおける転動部位の傾きの変化に応じて転動軸線方向が変化されるように前記可動体に回転可能に支持された転動体と、を備えたことを特徴とする。
【０００７】
請求項１に記載の遮光装置では、可動体が窓ガラスの延在方向一方側に沿って移動されると、これに伴い、遮光体が展開位置に変位され、遮光体によって窓ガラスが覆われる。一方、可動体が窓ガラスの延在方向他方側に沿って移動されると、これに伴い、遮光体が展開位置に変位され、遮光体が窓ガラスから退避される。
【０００８】
ここで、可動体には、転動体が回転可能に支持されている。このため、上述の如く、可動体が窓ガラスの延在方向に沿って移動されるときには、転動体が窓ガラス上を転動することにより可動体を窓ガラスに沿って案内できる。
【０００９】
しかも、転動体は、窓ガラスにおける転動部位の傾きの変化に応じて転動軸線方向が変化されるように可動体に支持されている。従って、例えば転動体が転動する部位に応じて窓ガラスの傾きが変化する場合でも、窓ガラスにおいて転動体が転動する部位と転動体の転動軸線とを平行な状態に維持できる。これにより、転動体が窓ガラス上を円滑に転動するので、転動体と窓ガラスとの擦れに伴う異音（擦れ音）の発生を防止できる。
【００１０】
請求項２に記載の遮光装置は、請求項１に記載の遮光装置において、前記転動体は、円盤状のローラにより構成され、前記ローラを前記可動体に対し回転可能に支持する回転支持部と、前記回転支持部を前記可動体に対し揺動可能に支持する揺動支持部と、を備えたことを特徴とする。
【００１１】
請求項２に記載の遮光装置によれば、転動体としての円盤状のローラは、回転支持部によって可動体に対し回転可能に支持されており、この回転支持部は、揺動支持部によって可動体に対し揺動可能に支持されている。従って、例えばローラが転動する部位に応じて窓ガラスの傾きが変化する場合でも、この変化に応じて回転支持部が揺動支持部によって可動体に対して回動されることで、窓ガラスにおいて転動体が転動する部位と回転支持部つまりローラの転動軸線とを平行な状態に維持できる。
【００１２】
また、前記課題を解決するために、請求項３に記載の遮光装置は、窓ガラスを覆うための展開位置と前記窓ガラスから退避されるための格納位置とに変位可能な遮光体と、前記窓ガラスの延在方向に沿って移動することで前記遮光体を格納位置と展開位置とに変位させる可動体と、互いに転動軸線方向が異なるように回転可能な状態で前記可動体に支持されると共に、前記可動体の移動に伴う前記窓ガラスにおける転動部位の傾きの変化に応じて少なくとも一つが選択的に前記窓ガラス上を転動される複数の転動体と、を備えたことを特徴とする。
【００１３】
請求項３に記載の遮光装置では、可動体が窓ガラスの延在方向一方側に沿って移動されると、これに伴い、遮光体が展開位置に変位され、遮光体によって窓ガラスが覆われる。一方、可動体が窓ガラスの延在方向他方側に沿って移動されると、これに伴い、遮光体が展開位置に変位され、遮光体が窓ガラスから退避される。
【００１４】
ここで、可動体には、複数の転動体が回転可能に支持されており、この複数の転動体は、可動体の移動に伴って少なくとも一つが選択的に窓ガラス上を転動される構成とされている。このため、上述の如く、可動体が窓ガラスの延在方向に沿って移動されるときには、複数の転動体の少なくとも一つが選択的に窓ガラス上を転動することにより可動体を窓ガラスに沿って案内できる。
【００１５】
しかも、複数の転動体は、互いに転動軸線方向が異なるように回転可能な状態で可動体に支持されており、可動体の移動に伴う窓ガラスにおける転動部位の傾きの変化に応じて少なくとも一つが選択的に窓ガラス上を転動される構成とされている。従って、例えば複数の転動体が転動される部位に応じて窓ガラスの傾きが変化する場合でも、窓ガラスにおいて転動体が転動する部位と転動軸線方向とが平行な状態で回転可能な転動体が選択的に切り替えられて窓ガラス上を転動することで、窓ガラスにおいて転動体が転動する部位とこの窓ガラス上を転動される各転動体の転動軸線とを平行な状態に維持できる。これにより、転動体が窓ガラス上を円滑に転動するので、転動体と窓ガラスとの擦れに伴う異音（擦れ音）の発生を防止できる。
【００１６】
請求項４に記載の遮光装置は、請求項１又は請求項３に記載の遮光装置において、前記転動体は、前記可動体に全方向に回転自在に支持された球体により構成されていることを特徴とする。
【００１７】
請求項４に記載の遮光装置によれば、転動体は、可動体に全方向に回転自在に支持された球体により構成されている。従って、例えば転動体が転動する部位に応じて窓ガラスの傾きが変化する場合でも、この変化に応じて転動体の転動軸線方向が変化され、窓ガラスにおいて転動体が転動する部位と転動体の転動軸線とを平行な状態に維持できる。
【発明を実施するための最良の形態】
【００１８】
［第一実施形態］
はじめに、本発明の遮光装置の第一実施形態について説明する。
【００１９】
図１乃至図５には、本発明の第一実施形態に係る遮光装置１０が示されている。なお、図１において、二点鎖線にて示される符合８０は、この遮光装置１０が車両に搭載されたときのリアガラスを示している。また、図１における矢印ＵＰ、矢印ＯＵＴ、矢印ＲＲは、遮光装置１０の車両への搭載状態における車両上下方向上側、車両幅方向外側、車両前後方向後側をそれぞれ示している。
【００２０】
図１に示されるように、本発明の第一実施形態に係る遮光装置１０は、例えば、リアガラス８０を透過する光を遮るためにリアガラス８０の内側近傍位置に配置されるものであり、遮光体としてのスクリーン１２を有して構成されている。
【００２１】
スクリーン１２は、例えば遮光性を有する布材等により構成されており、シート状に形成されている。このスクリーン１２の一端は、巻取機構１４に接続されている。巻取機構１４は、スクリーン１２を巻き取った状態で格納すると共に、スクリーン１２が展開されたときにはスクリーン１２に対し巻取力を発揮する構成とされている。この巻取機構１４は、ベース部材１６に一体に設けられており、ベース部材１６には、この巻取機構１４の他に、コントローラ１８、駆動モータ２０、リンク機構２２が一体に設けられている。
【００２２】
コントローラ１８は、例えば、ＣＰＵ、ＲＯＭ、ＲＡＭ等が実装された電気回路を備えて構成されており、外部制御装置から出力された制御信号を入力して駆動モータ２０の制御を行うように構成されている。駆動モータ２０は、出力軸２４を有しており、この出力軸２４には、リンクレバー２６が一体回転可能に固定されている。
【００２３】
リンク機構２２は、リンクロッド２８と、レバー３０と、ロアリンク３２と、アッパリンク３４とを備えて構成されている。各リンクロッド２８は、その一端がリンクレバー２６の各回動端とそれぞれ回動可能に連結され、その他端が各レバー３０の回動端とそれぞれ回動可能に連結されている。
【００２４】
各レバー３０は、ベース部材１６の両端にそれぞれ回動可能に連結されており、ベース部材１６との間に設けられたアシストスプリング３６の付勢力によりスクリーン１２を展開させる方向（矢印Ｒ３方向）に付勢されている。各ロアリンク３２は、その基端側が各レバー３０の回動軸に一体的に固定されて各レバー３０と共に回動されるようになっている。各アッパリンク３４の一端は、中間ジョイント３８を介して各ロアリンク３２の回動端に連結されており、その他端は可動体としてのスクリーン支持部材４０の両端にそれぞれ回動可能に連結されている。
【００２５】
スクリーン支持部材４０は、スクリーン１２の展開側の幅方向縁部に長手方向に沿って設けられており、スクリーン１２を幅方向に広げた状態に維持している。このスクリーン支持部材４０の長手方向両端側には、エンドキャップ４２がそれぞれ備えられており、各エンドキャップ４２には、スクリーン支持部材４０をリアガラス８０に沿って案内するための案内機構４４が設けられている。
【００２６】
案内機構４４は、図２乃至図５に示されるように、収容部４６、支持部材４８、一対の転動体としてのガイドローラ５０を有して構成されている。収容部４６は、エンドキャップ４２に一体的に形成されており、リアガラス８０が位置される側に開口部を有する凹状に構成されている。
【００２７】
支持部材４８は、回転支持部５２と揺動支持部５４とを有する十字状に構成されている。回転支持部５２は、スクリーン支持部材４０の長手方向と平行な方向に沿って設けられており、揺動支持部５４は、回転支持部５２と直交する方向（スクリーン支持部材４０の移動方向）に沿って設けられている。この回転支持部５２と揺動支持部５４とは一体的に構成されている。
【００２８】
また、回転支持部５２は、図２に示されるように、各ガイドローラ５０の中央部に設けられた孔部５６に挿入されており、各ガイドローラ５０を回転可能に支持している。この回転支持部５２の長手方向両端部には、ガイドローラ５０の抜けを防止する拡径部５８が設けられている。一方、揺動支持部５４は、その長手方向両端側が収容部４６に形成された支持穴６０に回転可能に挿入されて支持されており、これにより、回転支持部５２をスクリーン支持部材４０に対し揺動可能に支持している。
【００２９】
各ガイドローラ５０は、円盤状に構成されており、回転支持部５２に支持された状態で回転軸線方向に対向して配置されている。また、各ガイドローラ５０は、収容部４６内に回転可能に収容されており、図３乃至図５に示されるように、その一部が開口部からリアガラス８０が位置される側に露出されている。さらに、各ガイドローラ５０の外周部には、例えばゴム製のＯリング６２が装着されている。
【００３０】
そして、上記各構成からなる遮光装置１０は、車両への搭載状態において、次の如く動作される。
【００３１】
すなわち、本発明の第一実施形態に係る遮光装置１０では、図１に示される駆動モータ２０がコントローラ１８からの制御信号（正転信号）を入力して正転すると、リンクレバー２６がＲ１方向に回動され、レバー３０がＲ３方向に回動される。また、レバー３０がＲ３方向に回動されると、ロアリンク３２がＲ５方向に回動されると共にアッパリンク３４がＲ７方向に回動され、スクリーン支持部材４０が上昇される。また、スクリーン支持部材４０が上昇することで、スクリーン１２が上側に引っ張られる。
【００３２】
ここで、スクリーン支持部材４０は、所定の高さから上限位置に上昇されるまで、車両の走行時の振動等によってスクリーン１２が揺れないように、リンク機構２２によってリアガラス８０側に押圧される。そして、スクリーン支持部材４０は、ガイドローラ５０がリアガラス８０上を転動することでリアガラス８０に沿って案内されながら上昇される。また、このときには、ガイドローラ５０がリアガラス８０上を転動することでスクリーン支持部材４０に作用する負荷が低減され、リンク機構２２が円滑に作動される。
【００３３】
そして、図１に示される如くロアリンク３２とアッパリンク３４とが直線状となると、スクリーン支持部材４０が上限位置に移動され、スクリーン１２がリアガラス８０全体を覆う展開位置に変位される。
【００３４】
一方、駆動モータ２０がコントローラ１８からの制御信号（逆転信号）を入力して逆転すると、リンクレバー２６がＲ２方向に回動され、レバー３０がＲ４方向に回動される。また、レバー３０がＲ４方向に回動されると、ロアリンク３２がＲ６方向に回動されると共にアッパリンク３４がＲ８方向に回動され、スクリーン支持部材４０が降下される。また、スクリーン支持部材４０が降下することで、巻取機構１４が発揮する巻取力によってスクリーン１２が下側に引っ張られる。
【００３５】
ここで、スクリーン支持部材４０は、上昇時と同様に、上限位置から所定の高さにまで降下されるまで、車両の走行時の振動等によってスクリーン１２が揺れないように、リンク機構２２によってリアガラス８０側に押圧される。そして、スクリーン支持部材４０は、ガイドローラ５０がリアガラス８０上を転動することでリアガラス８０に沿って案内されながら降下される。また、このときには、ガイドローラ５０がリアガラス８０上を転動することでスクリーン支持部材４０に作用する負荷が低減され、リンク機構２２が円滑に作動される。
【００３６】
そして、ロアリンク３２とアッパリンク３４とが重なるように折り畳まれた状態となると、スクリーン支持部材４０が下限位置に移動され、スクリーン１２が巻取機構１４に格納されてリアガラス８０から退避された格納位置に変位される。
【００３７】
ところで、車両のリアガラス８０は、一般的に平面視台形状に構成され、また、その両端部は湾曲して構成されている。従って、スクリーン支持部材４０がリアガラス８０の上下方向中央部を通過するときには、ガイドローラ５０はリアガラス８０の平面部上を転動することになり、スクリーン支持部材４０がリアガラス８０の上部を通過するときには、ガイドローラ５０はリアガラス８０の曲面部上を転動することになる。
【００３８】
ここで、図３には、スクリーン支持部材４０がリアガラス８０の上下方向中央部を通過することに伴ってガイドローラ５０がリアガラス８０の平面部８２上を転動する様子が示されている。一方、図４には、スクリーン支持部材４０がリアガラス８０の上部を通過することに伴ってガイドローラ５０がリアガラス８０の曲面部８４上を転動する様子が示されている。
【００３９】
図３に示されるように、ガイドローラ５０がリアガラス８０の平面部８２上を転動するときには、回転支持部５２の長手方向とスクリーン支持部材４０の長手方向とが平行な状態となる。また、このときには、リアガラス８０の平面部８２の延在方向（つまり車両幅方向で矢印Ｗ方向）と、回転支持部５２の長手方向つまりガイドローラ５０の転動軸線Ｌ１の方向とが平行な状態となる。
【００４０】
一方、図４に示されるように、ガイドローラ５０がリアガラス８０の曲面部８４上を転動するときには、回転支持部５２の長手方向とスクリーン支持部材４０の長手方向とが傾斜した状態となる。ところが、このときには、揺動支持部５４がスクリーン支持部材４０に対して回動することで回転支持部５２が回動され、リアガラス８０の曲面部８４の接線方向（矢印Ｓ方向）と、回転支持部５２の長手方向つまりガイドローラ５０の転動軸線Ｌ１の方向とが平行な状態となる。
【００４１】
つまり、本発明の一実施形態に係る遮光装置１０では、ガイドローラ５０が転動する部位に応じてリアガラス８０の傾きが変化する場合でも、この変化に応じて回転支持部５２が揺動支持部５４によってスクリーン支持部材４０に対し回動されることで、リアガラス８０においてガイドローラ５０が転動する部位とガイドローラ５０の転動軸線Ｌ１とが平行な状態に維持される。従って、ガイドローラ５０がリアガラス８０上を円滑に転動する。
【００４２】
そして、本発明の第一実施形態に係る遮光装置１０によれば、以下の効果を奏する。
【００４３】
ここで、本発明の第一実施形態に係る遮光装置１０の効果をより明確にするために比較例について説明する。図１６，図１７には、比較例に係る遮光装置３１０が示されている。この比較例に係る遮光装置３１０では、エンドキャップ３４２の案内機構３４４に、ガイドローラ３５０が一つ設けられており、このガイドローラ３５０は、スクリーン支持部材３４０の長手方向と平行（つまり、リアガラス８０の平面部８２と平行）に配置された回転支持部３５２によって回転可能に支持されている。
【００４４】
しかしながら、上述のように、リアガラス８０が例えば局部的に湾曲した形状に構成されて平面部８２と曲面部８４とを有する場合、ガイドローラ３５０が平面部８２上を転動する場合と曲面部８４上を転動する場合とでリアガラス８０の傾き（曲率）が異なる。従って、比較例に係る遮光装置３１０のように、ガイドローラ３５０の回転支持部３５２をリアガラス８０の平面部８２と平行となるように（平面部８２に合わせて）配置しても、ガイドローラ３５０がリアガラス８０の曲面部８４上を転動する際には、図１６に示される如く、リアガラス８０の傾きとガイドローラ３５０の回転方向とが合わず、つまり、換言すれば、リアガラス８０の曲面部８４における接線方向（矢印Ｓ方向）とガイドローラ３５０の転動軸線Ｌ４の方向とが平行とならずに傾斜した状態となる。
【００４５】
そして、リアガラス８０の曲面部８４における接線方向（矢印Ｓ方向）とガイドローラ３５０の転動軸線Ｌ４の方向とが傾斜した状態となると、ガイドローラ３５０に対しリアガラス８０から押し付け反力の他に横方向の力が作用して、ガイドローラ３５０と回転支持部３５２とにこじりが生じ、ガイドローラ３５０と回転支持部３５２との間の抵抗力が増加する。従って、リアガラス８０に対するガイドローラ３５０の転がりが鈍くなり、これにより、ガイドローラ３５０とリアガラス８０とが擦れて異音（擦れ音）が発生する虞がある。
【００４６】
これに対して、本発明の第一実施形態に係る遮光装置１０によれば、円盤状のガイドローラ５０は、回転支持部５２によってスクリーン支持部材４０に対し回転可能に支持されており、この回転支持部５２は、揺動支持部５４によってスクリーン支持部材４０に対し揺動可能に支持されている。従って、ガイドローラ５０が転動する部位に応じてリアガラス８０の傾きが変化する場合でも、この変化に応じて回転支持部５２が揺動支持部５４によってスクリーン支持部材４０に対して回動されることで、リアガラス８０においてガイドローラ５０が転動する部位と回転支持部５２つまりガイドローラ５０の転動軸線Ｌ１とを平行な状態に維持できる。これにより、ガイドローラ５０が窓ガラス上を円滑に転動するので、ガイドローラ５０とリアガラス８０との擦れに伴う異音（擦れ音）の発生を防止できる。
【００４７】
また、本発明の第一実施形態に係る遮光装置１０によれば、スクリーン支持部材４０が昇降する際に、ガイドローラ５０がリアガラス８０上を転動することで、スクリーン支持部材４０に作用する負荷を低減できる。特に、リアガラス８０においてガイドローラ５０が転動する部位とガイドローラ５０の転動軸線Ｌ１とが平行な状態に維持されることで、ガイドローラ５０をリアガラス８０上に円滑に転動させることができるので、スクリーン支持部材４０に作用する負荷をより一層低減できる。これにより、駆動モータ２０の消費電力をより一層低く抑えることができる。
【００４８】
また、本発明の第一実施形態に係る遮光装置１０によれば、ガイドローラ５０の外周部（リアガラス８０との接触部）には、ゴム製のＯリング６２が装着されている。従って、ガイドローラ５０がリアガラス８０上を転動するときにおける騒音を低減できる。
【００４９】
以上、本発明の第一実施形態について説明したが、本発明は、上記に限定されるものでなく、その主旨を逸脱しない範囲内において種々変形して実施することが可能であることは勿論である。
【００５０】
例えば、上記実施形態では、回転支持部５２をスクリーン支持部材４０に対して揺動可能に支持するために棒状の揺動支持部５４が設けられていたが、例えば、次のように構成されていても良い。すなわち、図６に示されるように、収容部４６の底部６４に壁状の揺動支持部６６が立設されると共に、この揺動支持部６６によって回転支持部６８がスクリーン支持部材４０に対して揺動可能に支持された構成とされていても良い。
【００５１】
また、上記実施形態では、各案内機構４４にガイドローラ５０が一対備えられていたが、各案内機構４４にガイドローラ５０が一つずつ備えられていても良い。
【００５２】
また、上記実施形態では、スクリーン支持部材４０がリンク機構２２によって昇降されるように構成されていたが、次のように構成されていても良い。すなわち、例えば、リアガラス８０の上下方向に沿って無端ベルトを配置すると共に、この無端ベルトの一部をスクリーン支持部材４０に固定し、この無端ベルトを駆動モータで回転させることでスクリーン支持部材４０が昇降されるように構成されていても良い。
【００５３】
また、上記実施形態において、本発明における遮光体は、巻き取り可能な布状のスクリーン１２で構成されていたが、例えば、リアガラス８０の上下方向に沿って移動可能な板状の遮光部材等で構成されていても良い。
【００５４】
また、上記実施形態では、駆動モータ２０を用いることでリンク機構２２が電動で作動されるように構成されていたが、ハンドル等を設け、このハンドルを回すことでリンク機構２２が手動で作動されるように構成されていても良い。
【００５５】
また、上記実施形態では、遮光装置１０を車両のリアガラス８０に適用した例について説明したが、遮光装置１０を例えば車両のサイドガラス等に適用しても良いことは勿論である。
【００５６】
［第二実施形態］
次に、本発明の遮光装置の第二実施形態について説明する。
【００５７】
図７乃至図９には、本発明の第二実施形態に係る遮光装置１１０が示されている。なお、本発明の第二実施形態に係る遮光装置１１０は、上述の本発明の第一実施形態に係る遮光装置１０に対し、エンドキャップ４２の代わりにエンドキャップ１４２が備えられたものである。なお、本発明の第二実施形態において、エンドキャップ１４２以外の構成については上述の本発明の第一実施形態と同一であるので、これらの構成については図１を参照することとする。
【００５８】
本発明の第二実施形態に係る遮光装置１１０において、エンドキャップ１４２には、案内機構１４４が設けられている。案内機構１４４は、複数の転動体としての球状ころ１５０を有している。各球状ころ１５０は、エンドキャップ１４２に設けられた凹曲面状の収容部１４６に全方向に回転自在に収容されており、その一部（半分以下の部分）が各収容部１４６の開口部からリアガラス８０が位置される側に露出されている。
【００５９】
この複数の球状ころ１５０は、図８，図９に示されるように、リアガラス８０の平面部８２に対して板厚方向へそれぞれ異なるオフセット量でオフセットされて配置されている。そして、この複数の球状ころ１５０は、リアガラス８０における傾きの異なる各部位（例えば、平面部８２、曲面部８４、及び、さらに曲率の大きい曲面部８６）のそれぞれに少なくとも一つが選択的に転動されるように割り当てられて配置されている。
【００６０】
つまり、複数の球状ころ１５０は、互いに転動軸線Ｌ２の方向が異なるように回転可能な状態でスクリーン支持部材４０に支持されており、スクリーン支持部材４０の昇降に伴うリアガラス８０における転動部位の傾きの変化に応じて少なくとも一つが選択的にリアガラス８０上を転動される構成とされている。
【００６１】
そして、上記各構成からなる遮光装置１１０は、車両への搭載状態において、次の如く動作される。
【００６２】
なお、上述の本発明の第一実施形態と同一の構成に伴う動作つまりリンク機構２２によってスクリーン支持部材４０を昇降させる動作については上述の本発明の第一実施形態の説明を参照することとする。
【００６３】
本発明の第二実施形態に係る遮光装置１１０において、スクリーン支持部材４０がリンク機構２２の作動を伴って昇降されるときには、複数の球状ころ１５０のうち少なくとも一つが選択的にリアガラス８０上を転動し、スクリーン支持部材４０がリアガラス８０に沿って案内される。従って、スクリーン支持部材４０に作用する負荷が低減され、リンク機構２２が円滑に作動される。
【００６４】
また、このときに、球状ころ１５０が転動する部位に応じてリアガラス８０の傾きが変化する場合でも、各球状ころ１５０は、収容部４６に全方向に回転自在に収容されているので、リアガラス８０の転動部位の傾きの変化に応じて各球状ころ１５０の転動軸線Ｌ２の方向が変化される。従って、リアガラス８０において球状ころ１５０が転動する部位とこのリアガラス８０を転動する各球状ころ１５０の転動軸線Ｌ２とが平行な状態に維持される。
【００６５】
つまり、球状ころ１５０がリアガラス８０の平面部８２上を転動するときには、平面部８２の延在方向（つまり車両幅方向で矢印Ｗ方向）とこの平面部８２上を転動する各球状ころ１５０の転動軸線Ｌ２の方向とが平行となる。また、球状ころ１５０がリアガラス８０の曲面部８４上を転動するときには、曲面部８４の接線方向（矢印Ｓ方向）とこの曲面部８４上を転動する各球状ころ１５０の転動軸線Ｌ２の方向とが平行となる。これにより、各球状ころ１５０がリアガラス８０上を円滑に転動する。
【００６６】
そして、本発明の第二実施形態に係る遮光装置１１０によれば、以下の効果を奏する。
【００６７】
すなわち、本発明の第二実施形態に係る遮光装置１１０によれば、例えば複数の球状ころ１５０が転動する部位に応じてリアガラス８０の傾きが変化する場合でも、この変化に応じてリアガラス８０を転動する球状ころ１５０が選択的に切り替えられると共に各球状ころ１５０の転動軸線Ｌ２の方向が変化され、リアガラス８０において球状ころ１５０が転動する部位と各球状ころ１５０の転動軸線Ｌ２とが平行な状態に維持される。これにより、球状ころ１５０がリアガラス８０上を円滑に転動するので、球状ころ１５０とリアガラス８０との擦れに伴う異音（擦れ音）の発生を防止できる。
【００６８】
また、本発明の第二実施形態に係る遮光装置１１０によれば、スクリーン支持部材４０が昇降する際に、複数の球状ころ１５０のうち少なくとも一つがリアガラス８０上を転動することで、スクリーン支持部材４０に作用する負荷を低減できる。特に、球状ころ１５０がリアガラス８０上を転動する際に転動軸線Ｌ２とリアガラス８０において球状ころ１５０が転動する部位とが平行な状態に維持されることで、各球状ころ１５０をリアガラス８０上に円滑に転動させることができるので、スクリーン支持部材４０に作用する負荷をより一層低減できる。これにより、駆動モータ２０の消費電力をより一層低く抑えることができる。
【００６９】
以上、本発明の第二実施形態について説明したが、本発明は、上記に限定されるものでなく、その主旨を逸脱しない範囲内において種々変形して実施することが可能であることは勿論である。
【００７０】
例えば、上記実施形態では、スクリーン支持部材４０に複数の転動体としての球状ころ１５０が備えられていたが、次のように構成されていても良い。すなわち、図１０，図１１に示されるように、スクリーン支持部材４０に複数の転動体としてのガイドローラ１５１が備えられていても良い。
【００７１】
ここで、この変形例において、複数のガイドローラ１５１は、エンドキャップ１４２に設けられた収容部１４７に回転自在に収容されており、その一部（半分以下の部分）が各収容部１４７の開口部からリアガラス８０が位置される側に露出されている。
【００７２】
また、この複数のガイドローラ１５１は、リアガラス８０の平面部８２に対して板厚方向へそれぞれ異なるオフセット量でオフセットされて配置されている。そして、この複数のガイドローラ１５１は、リアガラス８０における傾きの異なる各部位（例えば、平面部８２、曲面部８４、及び、さらに曲率の大きい曲面部８６）のそれぞれに少なくとも一つ一つが選択的に転動されるように割り当てられて配置されている。
【００７３】
つまり、複数のガイドローラ１５１は、互いに転動軸線Ｌ２の方向が異なるように回転可能な状態でスクリーン支持部材４０に支持されており、スクリーン支持部材４０の昇降に伴うリアガラス８０における転動部位の傾きの変化に応じて少なくとも一つが選択的にリアガラス８０上を転動される構成とされている。
【００７４】
このように構成されていても、スクリーン支持部材４０がリアガラス８０の上下方向に沿って昇降されるときには、複数のガイドローラ１５１の少なくとも一つが選択的にリアガラス８０上を転動することによりスクリーン支持部材４０をリアガラス８０に沿って案内でき、スクリーン支持部材４０に作用する負荷を低減できる。
【００７５】
また、例えば複数のガイドローラ１５１が転動される部位に応じてリアガラス８０の傾きが変化する場合でも、複数のガイドローラ１５１のうちリアガラス８０の転動部位と転動軸線Ｌ２とが平行となるガイドローラ１５１が選択的に切り替えられてリアガラス８０上を転動することで、リアガラス８０の転動部位とこのリアガラス８０上を転動される各ガイドローラ１５１の転動軸線Ｌ２とが平行な状態に維持される。これにより、ガイドローラ１５１がリアガラス８０上を円滑に転動するので、ガイドローラ１５１とリアガラス８０との擦れに伴う異音（擦れ音）の発生を防止できる。
【００７６】
また、上記実施形態において、複数の球状ころ１５０は、スクリーン支持部材４０の移動に伴って少なくとも一つが選択的にリアガラス８０上を転動される構成とされていたが、スクリーン支持部材４０の移動に伴って少なくとも二つ以上が選択的にリアガラス８０上を転動される構成とされていても良い。
【００７７】
［第三実施形態］
次に、本発明の遮光装置の第三実施形態について説明する。
【００７８】
図１２乃至図１４には、本発明の第三実施形態に係る遮光装置２１０が示されている。なお、本発明の第三実施形態に係る遮光装置２１０は、上述の本発明の第一実施形態に係る遮光装置１０に対し、エンドキャップ４２の代わりにエンドキャップ２４２が備えられたものである。なお、本発明の第三実施形態において、エンドキャップ２４２以外の構成については上述の本発明の第一実施形態と同一であるので、これらの構成については図１を参照することとする。
【００７９】
本発明の第三実施形態に係る遮光装置２１０において、エンドキャップ２４２には、案内機構２４４が設けられている。案内機構２４４は、転動体としての球状ころ２５０を一つ備えている。球状ころ２５０は、エンドキャップ２４２に設けられた凹曲面状の収容部２４６に全方向に回転自在に収容されており、その一部（半分以下の部分）が収容部２４６の開口部からリアガラス８０が位置される側に露出されている。
【００８０】
そして、上記各構成からなる遮光装置２１０は、車両への搭載状態において、次の如く動作される。
【００８１】
なお、上述の本発明の第一実施形態と同一の構成に伴う動作つまりリンク機構２２によってスクリーン支持部材４０を昇降させる動作については上述の本発明の第一実施形態の説明を参照することとする。
【００８２】
本発明の第三実施形態に係る遮光装置２１０において、スクリーン支持部材４０がリンク機構２２の作動を伴って昇降されるときには、球状ころ２５０がリアガラス８０上を転動することで、スクリーン支持部材４０がリアガラス８０に沿って案内される。従って、スクリーン支持部材４０に作用する負荷が低減され、リンク機構２２が円滑に作動される。
【００８３】
また、このときに、球状ころ２５０が転動する部位に応じてリアガラス８０の傾きが変化する場合でも、球状ころ２５０は、収容部２４６に全方向に回転自在に収容されているので、リアガラス８０における転動部位の傾きの変化に応じて転動軸線Ｌ３の方向が変化される。従って、リアガラス８０において球状ころ２５０が転動する部位と球状ころ２５０の転動軸線Ｌ３とが平行な状態に維持される。
【００８４】
つまり、球状ころ２５０がリアガラス８０の平面部８２上を転動するときには、平面部８２の延在方向（つまり車両幅方向で矢印Ｗ方向）と球状ころ２５０の転動軸線Ｌ３の方向とが平行となる。また、球状ころ２５０がリアガラス８０の曲面部８４上を転動するときには、曲面部８４の接線方向（矢印Ｓ方向）と球状ころ２５０の転動軸線Ｌ３の方向とが平行となる。これにより、球状ころ２５０がリアガラス８０上を円滑に転動する。
【００８５】
そして、本発明の第三実施形態に係る遮光装置２１０によれば、以下の効果を奏する。
【００８６】
すなわち、本発明の第三実施形態に係る遮光装置２１０によれば、例えば球状ころ２５０が転動する部位に応じてリアガラス８０の傾きが変化する場合でも、リアガラス８０における転動部位の傾きの変化に応じて球状ころ２５０の転動軸線Ｌ３の方向が変化され、リアガラス８０において球状ころ２５０が転動する部位と球状ころ２５０の転動軸線Ｌ３とを平行な状態に維持できる。これにより、球状ころ２５０がリアガラス８０上を円滑に転動するので、球状ころ２５０とリアガラス８０との擦れに伴う異音（擦れ音）の発生を防止できる。
【００８７】
また、本発明の第三実施形態に係る遮光装置２１０によれば、スクリーン支持部材４０が昇降する際に、球状ころ２５０がリアガラス８０上を転動することで、スクリーン支持部材４０に作用する負荷を低減できる。特に、球状ころ２５０がリアガラス８０上を転動する際に転動軸線Ｌ３とリアガラス８０において球状ころ２５０が転動する部位とが平行な状態に維持されることで、球状ころ２５０をリアガラス８０上に円滑に転動させることができるので、スクリーン支持部材４０に作用する負荷をより一層低減できる。これにより、駆動モータ２０の消費電力をより一層低く抑えることができる。
【００８８】
以上、本発明の第三実施形態について説明したが、本発明は、上記に限定されるものでなく、その主旨を逸脱しない範囲内において種々変形して実施することが可能であることは勿論である。
【００８９】
例えば、上記実施形態では、球状ころ２５０が凹曲面状に形成された収容部２４６との摺接を伴って回転されるように構成されていたが、次のように構成されていても良い。すなわち、図１５，図１６に示されるように、収容部２４６に球状ころ２５０の外周方向に沿って複数のベアリング２６６が設けられ、この複数のベアリング２６６と収容部２４６とによって球状ころ２５０が回転可能に支持されていても良い。
【００９０】
このように構成されていると、球状ころ２５０と収容部２４６との摩擦抵抗を低減でき、球状ころ２５０をリアガラス８０上により一層円滑に転動させることができる。
【図面の簡単な説明】
【００９１】
【図１】本発明の第一実施形態に係る遮光装置の全体構成を示す斜視図である。
【図２】図１に示される遮光装置に備えられたスクリーン支持部材の要部拡大図である。
【図３】図２に示されるスクリーン支持部材の一部断面を含む図である。
【図４】図２に示されるスクリーン支持部材の一部断面を含む図である。
【図５】図２に示されるスクリーン支持部材の一部断面を含む図である。
【図６】本発明の第一実施形態に係る遮光装置の変形例を示す図である。
【図７】本発明の第二実施形態に係る遮光装置に備えられたスクリーン支持部材の要部拡大図である。
【図８】図７に示されるスクリーン支持部材の一部断面を含む図である。
【図９】図７に示されるスクリーン支持部材の一部断面を含む図である。
【図１０】本発明の第二実施形態に係る遮光装置の変形例を示す図である。
【図１１】本発明の第二実施形態に係る遮光装置の変形例を示す図である。
【図１２】本発明の第三実施形態に係る遮光装置に備えられたスクリーン支持部材の要部拡大図である。
【図１３】図１２に示されるスクリーン支持部材の一部断面を含む図である。
【図１４】図１２に示されるスクリーン支持部材の一部断面を含む図である。
【図１５】本発明の第三実施形態に係る遮光装置の変形例を示す図である。
【図１６】本発明の第三実施形態に係る遮光装置の変形例を示す図である。
【図１７】比較例に係る遮光装置に備えられたスクリーン支持部材の要部拡大図である。
【図１８】比較例に係る遮光装置に備えられたスクリーン支持部材の要部拡大図である。
【符号の説明】
【００９２】
１０，１１０，２１０…遮光装置、１２…スクリーン（遮光体）、１４…巻取機構、１６…ベース部材、１８…コントローラ、２０…駆動モータ、２２…リンク機構、２４…出力軸、２６…リンクレバー、２８…リンクロッド、３０…レバー、３２…ロアリンク、３４…アッパリンク、３６…アシストスプリング、３８…中間ジョイント、４０…スクリーン支持部材（可動体）、４２，１４２，２４２…エンドキャップ、４４，１４４，２４４…案内機構、４６，１４６，１４７，２４６…収容部、４８…支持部材、５０，１５１…ガイドローラ（転動体）、５２，６８…回転支持部、５４，６６…揺動支持部、５６…孔部、５８…拡径部、６０…支持穴、６２…Ｏリング、６４…底部、８０…リアガラス、８２…平面部、８４，８６…曲面部、１５０，２５０…球状ころ（転動体）、２６６…ベアリング
【図１】
2009012556.tif 000003
【図２】
2009012556.tif 000004
【図３】
2009012556.tif 000005
【図４】
2009012556.tif 000006
【図５】
2009012556.tif 000007
【図６】
2009012556.tif 000008
【図７】
2009012556.tif 000009
【図８】
2009012556.tif 000010
【図９】
2009012556.tif 000011
【図１０】
2009012556.tif 000012
【図１１】
2009012556.tif 000013
【図１２】
2009012556.tif 000014
【図１３】
2009012556.tif 000015
【図１４】
2009012556.tif 000016
【図１５】
2009012556.tif 000017
【図１６】
2009012556.tif 000018
【図１７】
2009012556.tif 000019
【図１８】
2009012556.tif 000020